(57)【要約】【課題】本件発明の課題は、明るい画像を得ることができ、広角〜中望遠の単焦点レンズに適用可能な赤外線光学系を提供することにある。【解決手段】上記課題を解決するため、物体側から順に配置される、負の屈折力を有する第１レンズと、正の屈折力を有する第２レンズとから構成され、第１レンズ及び第２レンズはいずれも３μｍ以上１４μｍ以下の赤外線波長域の光線を透過する赤外線透過材料からなり、少なくともいずれか一のレンズはゲルマニウム以外の赤外線透過材料からなることを特徴とする赤外線光学系を適用する。【選択図】図１
2015060194.tif 000002
【特許請求の範囲】
【請求項１】
物体側から順に配置される、負の屈折力を有する第１レンズと、正の屈折力を有する第２レンズとから構成されており、
第１レンズ及び第２レンズはいずれも３μｍ以上１４μｍ以下の赤外線波長域の光線を透過する赤外線透過材料からなり、少なくともいずれか一のレンズはゲルマニウム以外の赤外線透過材料からなることを特徴とする赤外線光学系。
【請求項２】
下記式（１）を満足する請求項１に記載の赤外線光学系。
ｆ１／ｆ  ＜  −１．０  ・・・（１）
但し、上記式（１）において、ｆ１は第１レンズの焦点距離であり、ｆは当該赤外線光学系全系の焦点距離である。
【請求項３】
下記式（２）を満足する請求項１又は請求項２に記載の赤外線光学系。
０．３５  ＜  ｆ２／ｆ  ＜  ５．５  ・・・（２）
但し、上記式（２）において、ｆ２は第２レンズの焦点距離であり、ｆは当該赤外線光学系全系の焦点距離である。
【請求項４】
下記式（３）を満足する請求項１〜請求項３のいずれか一項に記載の赤外線光学系。
（ｆ２／ｆ）／Ｆｎｏ  ＜  ５．６  ・・・（３）
但し、上記式（３）において、ｆ２は第２レンズの焦点距離であり、ｆは当該赤外線光学系全系の焦点距離であり、Ｆｎｏは当該赤外線光学系全系のＦ値である。
【発明の詳細な説明】
【技術分野】
【０００１】
本件発明は、赤外波長域で用いる赤外線光学系に関する。
【背景技術】
【０００２】
従来より、監視や人体認証等の他、医学や工業分野において被写体の熱分布回析等の用途で赤外線光学系が用いられている。また、近年では、車載カメラとしての赤外線光学系の用途も拡大しており、監視、走行記録等の他、夜間における歩行者や障害物の検出等の運転支援等の各種用途で赤外線光学系が用いられるようになってきている。このような赤外線光学系の用途拡大に伴い、焦点距離が可変のズームレンズではなく、Ｆ値が小さく、明るい画像を得ることのできる単焦点レンズの需要も伸びてきている。
【０００３】
赤外線光学系は、一般に、ゲルマニウム等の赤外線に対する屈折率の高い赤外線透過レンズを複数枚組み合わせて構成されている。例えば、特許文献１には、物体側から順に、物体側に凸面を向けたメニスカスレンズから成る第１レンズ、物体側に凸面を向けた正メニスカスレンズから成る第２レンズ及び第３レンズから構成された広角の赤外線光学系が開示されている。また、特許文献２には、物体側から順に、物体側に凸面を向けた正メニスカスレンズから成る第１レンズ、及び、像側に凸面を向けた正メニスカスレンズから成る第２レンズから構成されたＦ値の小さい明るい赤外線光学系が開示されている。
【先行技術文献】
【特許文献】
【０００４】
【特許文献１】特開２０１１−２５３００６号公報
【特許文献２】特開２０１０−１１３１９１号公報
【発明の概要】
【発明が解決しようとする課題】
【０００５】
しかしながら、赤外線光学系を構成する赤外線透過レンズは、可視光用のレンズの可視光の吸収率と比較すると赤外線の吸収率が高く、その表面の反射率が高い。このため、赤外線光学系を構成するレンズ枚数が増加するにつれて、レンズにおける赤外線の吸収／反射が増加し、系全体における赤外線の透過率が低下する。つまり、上記特許文献１に開示される赤外線光学系は、広角の単焦点レンズであり、結像性能も良好であるが、上記特許文献２に開示される赤外線光学系と比較するとレンズ枚数が多いため、明るい画像を得ることが困難である。一方、特許文献２に開示の赤外線光学系は２枚のレンズから構成されているため、明るい画像を得る上で有利である。しかしながら、当該赤外線光学系では、第１レンズを凸の正メニスカスレンズとしているため、標準〜望遠レンズに適しており、広角レンズに適用することは困難である。また、当該レンズ構成により、広角化を図るには第１レンズのレンズ径を大きくする必要があるが、その場合、コマ収差等が大きくなり、２枚のレンズでは収差補正を十分に行うことができず、結像性能が低下する。
【０００６】
そこで、本件発明の課題は、明るい画像を得ることができ、広角〜中望遠の単焦点レンズに適用可能な赤外線光学系を提供することにある。
【課題を解決するための手段】
【０００７】
本発明者等は、鋭意研究を行った結果、以下の赤外線光学系を採用することで上記課題を達成するに到った。
【０００８】
本件発明に係る赤外線光学系は、物体側から順に配置される、負の屈折力を有する第１レンズと、正の屈折力を有する第２レンズとから構成されており、第１レンズ及び第２レンズはいずれも３μｍ以上１４μｍ以下の赤外線波長域の光線を透過する赤外線透過材料からなり、少なくともいずれか一のレンズはゲルマニウム以外の赤外線透過材料からなることを特徴とする。
【０００９】
本件発明に係る赤外線光学系は、下記式（１）を満足することも好ましい。
【００１０】
ｆ１／ｆ  ＜  −１．０  ・・・（１）
但し、上記式（１）において、ｆ１は第１レンズの焦点距離であり、ｆは当該赤外線光学系全系の焦点距離である。
【００１１】
本件発明に係る赤外線光学系は、下記式（２）を満足することが好ましい。
【００１２】
０．３５  ＜  ｆ２／ｆ  ＜  ５．５  ・・・（２）
但し、上記式（２）において、ｆ２は第２レンズの焦点距離であり、ｆは当該赤外線光学系全系の焦点距離である。
【００１３】
本件発明に係る赤外線光学系は、下記式（３）を満足することも好ましい。
【００１４】
（ｆ２／ｆ）／Ｆｎｏ  ＜  ５．６  ・・・（３）
但し、上記式（３）において、ｆ２は第２レンズの焦点距離であり、ｆは当該赤外線光学系全系の焦点距離であり、Ｆｎｏは当該赤外線光学系全系のＦ値である。
【発明の効果】
【００１５】
本件発明によれば、明るい画像を得ることができ、広角〜中望遠の単焦点レンズに適用可能な赤外線光学系を提供することができる。
【図面の簡単な説明】
【００１６】
【図１】本件発明の実施例１の赤外線光学系（赤外線単焦点レンズ）のレンズ構成例を示す光学断面図である。
【図２】本件発明の実施例１の赤外線光学系のタンジェンシャル方向及びサジタル方向における横収差図であり、上段から順にω（半画角）＝０．０°、ω＝４０°、ω＝７９°における特性を示したものである。
【図３】本件発明の実施例１の赤外線光学系（赤外線単焦点レンズ）の各種収差図であり、球面収差（３μｍ、４μｍ、５μｍ）、非点収差（サジタル方向及びタンジェンシャル方向）、ディストーションである。
【図４】本件発明の実施例２の赤外線光学系（赤外線単焦点レンズ）のレンズ構成例を示す光学断面図である。
【図５】本件発明の実施例２の赤外線光学系のタンジェンシャル方向及びサジタル方向における横収差図であり、上段から順にω＝０．０°、ω＝１２．１°、ω＝２４．１°における特性を示したものである。
【図６】本件発明の実施例２の赤外線光学系（赤外線単焦点レンズ）の各種収差図であり、球面収差（８μｍ、１０μｍ、１２μｍ）、非点収差（サジタル方向及びタンジェンシャル方向）、ディストーションである。
【図７】本件発明の実施例３の赤外線光学系（赤外線単焦点レンズ）のレンズ構成例を示す光学断面図である。
【図８】本件発明の実施例３の赤外線光学系のタンジェンシャル方向及びサジタル方向における横収差図であり、上段から順にω＝０．０°、ω＝８．３°、ω＝１６．９°における特性を示したものである。
【図９】本件発明の実施例３の赤外線光学系（赤外線単焦点レンズ）の各種収差図であり、球面収差（８μｍ、１０μｍ、１２μｍ）、非点収差（サジタル方向及びタンジェンシャル方向）、ディストーションである。
【図１０】本件発明の実施例４の赤外線光学系（赤外線単焦点レンズ）のレンズ構成例を示す光学断面図である。
【図１１】本件発明の実施例４の赤外線光学系のタンジェンシャル方向及びサジタル方向における横収差図であり、上段から順にω＝０．０°、ω＝４０．０°、ω＝７８．９°における特性を示したものである。
【図１２】本件発明の実施例４の赤外線光学系（赤外線単焦点レンズ）の各種収差図であり、球面収差（８μｍ、１０μｍ、１２μｍ）、非点収差（サジタル方向及びタンジェンシャル方向）、ディストーションである。
【図１３】本件発明の実施例５の赤外線光学系（赤外線単焦点レンズ）のレンズ構成例を示す光学断面図である。
【図１４】本件発明の実施例５の赤外線光学系のタンジェンシャル方向及びサジタル方向における横収差図であり、上段から順にω＝０．０°、ω＝４０．０°、ω＝７８．９°における特性を示したものである。
【図１５】本件発明の実施例５の赤外線光学系（赤外線単焦点レンズ）の各種収差図であり、球面収差（８μｍ、１０μｍ、１２μｍ）、非点収差（サジタル方向及びタンジェンシャル方向）、ディストーションである。
【図１６】本件発明の実施例６の赤外線光学系（赤外線単焦点レンズ）のレンズ構成例を示す光学断面図である。
【図１７】本件発明の実施例６の赤外線光学系のタンジェンシャル方向及びサジタル方向における横収差図であり、上段から順にω＝０．０°、ω＝２５．５°、ω＝７４．５°における特性を示したものである。
【図１８】本件発明の実施例６の赤外線光学系（赤外線単焦点レンズ）の各種収差図であり、球面収差（８μｍ、１０μｍ、１２μｍ）、非点収差（サジタル方向及びタンジェンシャル方向）、ディストーションである。
【図１９】本件発明の実施例７の赤外線光学系（赤外線単焦点レンズ）のレンズ構成例を示す光学断面図である。
【図２０】本件発明の実施例７の赤外線光学系のタンジェンシャル方向及びサジタル方向における横収差図であり、上段から順にω＝０．０°、ω＝４０．０°、ω＝７８．９°における特性を示したものである。
【図２１】本件発明の実施例７の赤外線光学系（赤外線単焦点レンズ）の各種収差図であり、球面収差（８μｍ、１０μｍ、１２μｍ）、非点収差（サジタル方向及びタンジェンシャル方向）、ディストーションである。
【発明を実施するための形態】
【００１７】
以下、本件発明に係る赤外線光学系の実施の形態を説明する。
【００１８】
１．赤外線光学系
１−１．レンズ構成
本件発明に係る赤外線光学系の構成例について説明する。本件発明に係る赤外線光学系は、物体側から順に配置される、負の屈折力を有する第１レンズ及び正の屈折力を有する第２レンズとから構成され、第１レンズ及び第２レンズはいずれも３μｍ以上１４μｍ以下の赤外線波長域の光線を透過する赤外線透過材料からなり、少なくともいずれか一のレンズはゲルマニウム以外の赤外線透過材料からなることを特徴とする。
【００１９】
本件発明に係る赤外線光学系は、第１レンズ及び第２レンズの２枚のレンズから構成されており、当該光学系を構成するレンズ枚数が少ない。赤外線用のレンズは、可視光用のレンズと比較すると、光線に対する吸収率及び反射率が高い。このため、レンズ枚数を少なくすることにより、系全体における赤外線の吸収や反射を抑制して、系全体のＦ値を小さくすることができ、明るい画像を得ることができる。また、赤外線用の撮像素子（受光センサ）は、入射した赤外線の熱エネルギーを電子変換するため、一般にセンサ周辺の熱ノイズの影響を受けやすく、感度も小さい。しかしながら、本件発明に係る赤外線光学系は、上述のとおり、Ｆ値を小さくすることができるため、Ｓ／Ｎ比の小さい画質の良好な明るい画像を得ることができる。
【００２０】
また、本件発明に係る赤外線光学系は、２枚のレンズから構成されるにも関わらず、第１レンズを負の屈折力を有する負レンズとしているため、コマ収差及び像面湾曲を小さくすることができ、且つ、負の屈折力を有する第１レンズにより発生した球面収差を正の屈折力を有する第２レンズにより良好に補正することができる。また、第１レンズを負レンズとすることにより、画角を広くすることが容易になる。このため、本件発明に係る赤外線光学系を広角〜中望遠の幅広い画角の単焦点レンズに適用することが容易になる。
【００２１】
ここで、第１レンズは負の屈折力を有する負レンズであれば、その形状等は特に限定されるものではなく、第２レンズについても正の屈折力を有する正レンズであれば、その形状等は特に限定されるものではない。
【００２２】
さらに、本件発明に係る赤外線光学系では、第１レンズ及び第２レンズはいずれも３μｍ以上１４μｍ以下の赤外線波長域の光線を透過する赤外線透過材料からなり、少なくともいずれか一のレンズはゲルマニウム以外の赤外線透過材料からなるものとしている。ここで、ゲルマニウムレンズは、一般に、研磨や切削によりレンズ加工を行う必要があり、レンズ加工が困難である。従って、第１レンズ及び第２レンズのうち、少なくともいずれか一方のレンズ材料をゲルマニウム以外の赤外線透過材料とすることにより、ゲルマニウムレンズを用いる場合と比較すると加工が容易になる。特に、第１レンズ及び第２レンズのうち、非球面を有するレンズをゲルマニウム以外の赤外線透過材料からなるレンズとすることが好ましい。
【００２３】
ここで、本件発明において赤外線透過材料とは、３μｍ以上１４μｍ以下の赤外線波長域の光線を透過する材料をいう。ゲルマニウム以外の赤外線透過材料として、具体的には、カルコゲナイド、サファイア、ＺｎＳｅ（セレン化亜鉛）、ＺｎＳ（硫化亜鉛）、シリコン等が挙げられる。赤外線透過率の高い材料を用いることにより、当該赤外線光学系のＦ値を小さくすることができ、Ｓ／Ｎ比の小さい画質の良好な赤外線像を得ることができる。また、ゲルマニウム等の結晶材と比較すると、カルコゲナイド等のガラス材の方が、一般に安価であり、モールド成型が可能であるため、レンズ加工が容易である。
【００２４】
本件発明において、ゲルマニウム以外の赤外線透過材料からなるレンズは、第１レンズ及び第２レンズのうちいずれか一方であってもよく、両レンズであってもよい。レンズ加工の容易さを考慮した場合、非球面を有するレンズをゲルマニウム以外の赤外線透過材料からなるレンズとすることが好ましい。但し、第１レンズ及び第２レンズのうちいずれか一方のレンズをゲルマニウムレンズとしてもよいのは勿論であり、非球面レンズをゲルマニウムレンズとしてもよく、特に限定されるものではない。ゲルマニウムは、赤外線透過材料の中では赤外線に対する屈折率が高く、色分散も低い。このため、当該赤外線光学系に要求される光学特性に応じて、第１レンズ及び第２レンズのレンズ材料をゲルマニウム及びゲルマニウム以外の赤外線透過材料の中から適宜選定することができる。
【００２５】
本件発明に係る赤外線光学系において、第１レンズ及び第２レンズのうちいずれか一以上の面が非球面であることが好ましい。第１レンズ及び第２レンズのうちいずれか一以上の面を非球面とすることにより、球面収差や歪曲収差を良好に補正することができ、結像性能の良好な赤外線光学系を得ることができる。本件発明において、２枚のレンズでより良好な結像性能を得るには、複数の面が非球面であることがより好ましい。
【００２６】
１−２．条件式
次に、本件発明に係る赤外線光学系が満足することが好ましい条件式について、以下、順に説明する。
【００２７】
１−２−１．条件式（１）
本件発明に係る赤外線光学系は、下記式（１）を満足することが好ましい。
【００２８】
ｆ１／ｆ  ＜  −１．０  ・・・（１）
但し、上記式（１）において、ｆ１は第１レンズの焦点距離であり、ｆは当該赤外線光学系全系の焦点距離である。
【００２９】
条件式（１）は、第１レンズの焦点距離と当該赤外線光学系全系の焦点距離との比を規定したものである。条件式（１）の値が上記上限値未満である場合、球面収差を適正な範囲内に抑制することができ、コマ収差及び像面湾曲の補正も良好に行うことができ、２枚のレンズでも結像性能の良好な赤外線光学系を得ることができる。一方、条件式（１）の値が上限値以上となる場合、球面収差が、コマ収差及び像面収差がいずれも増大し、これらを補正することが困難になる。
【００３０】
上記観点から、当該条件式（１）の値は下記式（１ａ）の範囲内であることがより好ましい。
ｆ１／ｆ  ＜  −１．３  ・・・（１ａ）
【００３１】
１−２−１．条件式（２）
まず、条件式（２）について説明する。本件発明に係る光学系は、下記条件式（２）を満足することが好ましい。
【００３２】
０．３５  ＜  ｆ２／ｆ  ＜  ５．５  ・・・（２）
但し、上記式（２）において、ｆ２は第２レンズの焦点距離であり、ｆは当該赤外線光学系全系の焦点距離である。
【００３３】
条件式（２）は、第２レンズの焦点距離と、当該赤外線光学系全系の焦点距離との比を規定したものである。条件式（２）の値が上記範囲内である場合、第２レンズの屈折力が適正な範囲内となり、コマ収差や像面湾曲を良好に補正することができる。条件式（２）の値が下限値以下となる場合、第２レンズ群の屈折力が弱く、球面収差等が増加するため、当該赤外線光学系を望遠レンズに適用した場合、結像性能が低下するため好ましくない。また、当該条件式（２）の値が、上限値を上回る場合、第２レンズの屈折力が強く、球面収差等が増加するため、当該赤外線光学系を広角レンズに適用した場合、結像性能が低下するため好ましくない。
【００３４】
広角〜中望遠レンズに適用した場合、より良好な結像性能を得るという観点から、当該条件式（２）の値は下記式（２ａ）の範囲内であることがより好ましい。
０．４  ＜  ｆ２／ｆ  ＜  ５．３  ・・・（２ａ）
【００３５】
１−２−２．条件式（３）
次に、条件式（３）について説明する。本件発明に係る赤外線光学系は、下記条件式（３）を満足することも好ましい。
【００３６】
（ｆ２／ｆ）／Ｆｎｏ  ＜  ５．６  ・・・（３）
但し、上記式（３）において、ｆ２は第２レンズの焦点距離であり、ｆは当該赤外線光学系全系の焦点距離であり、Ｆｎｏは当該赤外線光学系全系のＦ値である。
【００３７】
条件式（３）は、上述した条件式（２）の値と当該赤外線光学系全系のＦ値との比を規定した式である。条件式（３）の値が上記上限値以上になる場合、球面収差・コマ収差等の増大により収差補正が困難になる。
【００３８】
これらの観点から、当該条件式（３）の値は下記式（３ａ）の範囲内であることがより好ましい。
（ｆ２／ｆ）／Ｆｎｏ  ＜  ５．４  ・・・（３ａ）
【００３９】
なお、条件式（３）の値は、より明るい画像を得るという観点から０より大きいことが好ましい。
【００４０】
１−３．回折光学素子面
当該赤外線光学系において、第１レンズ及び第２レンズの各面のうち、少なくともいずれかの一の面に回折光学素子面を設けてもよい。赤外線光学系のレンズ材料（赤外線透過材料）は、可視光用のレンズ材料と比較すると色分散が大きい傾向にあり、色収差が大きくなりやすい。このため、回折光学素子面をレンズ面に設けることにより、色収差を良好に補正することができ、画質の良好な赤外線像を得ることができる。
【００４１】
以上説明した本件発明に係る赤外線光学系は、３０°〜１８０°程度の広角〜中望遠の幅広い画角の赤外線単焦点レンズに適用することができ、Ｆ値が小さく、ノイズの少ない良好な画像を得ることができる。当該赤外線光学系は、監視用カメラ、赤外線サーモグラフィ等の種々の用途に適用することができ、広角単焦点レンズにも好適である。。
【００４２】
次に、実施例を示して本件発明を具体的に説明する。但し、本件発明は以下の実施例に限定されるものではなく、下記実施例に記載するレンズ構成は本件発明の一例に過ぎず、本件発明に係る赤外線光学系のレンズ構成は、本件発明の趣旨を逸脱しない範囲において適宜変更可能であるのは勿論である。
【実施例１】
【００４３】
本発明による赤外線光学系の実施例を図面を参照して説明する。図１は、本実施例１の赤外線光学系のレンズ構成例を示す光学断面図である。
【００４４】
図１に示すように、本実施例１の赤外線光学系は、物体側から順に、負の屈折力を有する第１レンズと、正の屈折力を有する第２レンズとを備え、この２枚のレンズにより構成されている。第１レンズは、物体側面が物体側に凸の負レンズであり、第２レンズは物体側面が物体側に凸の正レンズであり、レンズ形状等は図１に示すとおりである。これら第１レンズ及び第２レンズはいずれもＺｎＳｅにより形成されている。また、結像面の直前（物体側）にゲルマニウム製のカバーガラスが配置されている。
【００４５】
次に、当該本実施例１において、具体的数値を適用した数値実施例１の赤外線光学系のレンズデータを表１に示す。表１に示すレンズデータは次のものである。各レンズの面番号毎（Ｓｉ）に各レンズ面の曲率半径（Ｒｉ）、面間隔（レンズ厚、又は、互いに隣接するレンズ面の光軸上の間隔（Ｄｉ））、屈折率、材料名、焦点距離を示している。また、レンズ面が非球面である場合には、面番号の次の欄に「ＡＳ」を付し、回折光学素子面については面番号の次の欄に「ＤＯＥ」を付している。また、レンズ面が非球面である場合、その曲率半径は近軸曲率半径を示している。また、面番号は、第１レンズの物体側面が「１」、その像面側面が「２」、第２レンズの物体側面が「３」、その像面側面が「４」、カバーガラスの物体側面が「５」、その像面側面が「６」である。これらは表４、表７、表１０、表１３、表１６及び表１９においても同じである。但し、表１において屈折率は波長（λ）＝４μｍの光線に対する値を示しており、表４、表７、表１０、表１３、表１６及び表１９では波長（λ）＝１０μｍの光線に対する値を示している。実施例１は、中赤外線領域で使用される赤外線光学系に関する実施例であり、実施例２〜実施例７は遠赤外線領域で使用される赤外線光学系に関する実施例である。
【００４６】
【表１】
2015060194.tif 000003
【００４７】
次に、表１に示した非球面について、その形状を次式ｚで定義した場合の非球面係数を表２に示す。表２において、「Ｅ−ａ」は、「×１０−ａ」を示す。なお、これらの事項は表５、表８、表１１、表１４、表１７及び表２０においても同様である。
【００４８】
z=ch2/[1+{1-(1+k)c2h2}1/2]+A4h4+A6h6+A8h8+A10h10・・・
但し、上記式において、cは曲率(1/r)、hは光軸からの高さ、kは円錐係数、A4、A6、A8、A10・・・は各次数の非球面係数を示す。
【００４９】
【表２】
2015060194.tif 000004
【００５０】
次に、回折光学素子面について説明する。回折光学素子面は、光路差関数ρ（ｈ）の分布から、光路差が波長λ０（２πの位相差）の整数倍になるごとに基板面に断面が鋸歯状の輪帯が形成される。このため、回折光学素子面の形状は、下記の光路差を表す関数式ρ（ｈ）と回折面を付加する基準面に対する削り量（ｄＺ）を表す式により定義される。表１に示した回折光学素子面について、その回折面係数を表３に示す。なお、これらの事項は表６、表９、表１２、表１５、表１８及び表２１においても同様である。
【００５１】
（光路差関数）
ρ（ｈ）＝（Ｐ２×ｈ２＋Ｐ４×ｈ４＋Ｐ６×ｈ６＋Ｐ１０×ｈ１０）
但し、上記式において、Ｐ２，Ｐ４，・・・は回折面係数であり、ｈは径方向の距離である。
【００５２】
（基板面に対する削り量）
ｄＺ（ｈ）＝１／（ｎ−１）［ρ（ｈ）］
但し、上記式において、ｎは基板の屈折率である。
【００５３】
【表３】
2015060194.tif 000005
【００５４】
また、表２２に数値実施例１の全系の焦点距離ｆ、Ｆ値（Ｆｎｏ）、画角（２ω）、第１レンズの焦点距離（ｆ１）、第２レンズの焦点距離（ｆ２）、上記条件式（１）〜条件式（３）の値を示す。
【００５５】
さらに、図２に数値実施例１の赤外線光学系の横収差図を示し、図３に数値実施例１の赤外線光学系の球面収差、非点収差、ディストーションを示す。図２に示す横収差図において、横軸は瞳面上での主光線からの距離を表しており、上段は軸上像点における横収差、中段は最大角度の半分の角度位置における横収差、下段は最大像高の像点における横収差を示している。また、図３に示す球面収差図において、縦軸はＦ値（図中、ＦＮＯで示す）を表し、図中に示す各波長の光線（図３の場合は、３μｍ、４μｍ、５μｍの光線）の特性を示している。非点収差図において、縦軸は半画角（図中、ωで示す）を表し、サジタル平面（図中、Ｓで示す）及びタンジェンシャル方面（図中、Ｔで示す）の特性を示している。ディストーションにおいて、縦軸は半画角（図中、ωで示す）を表す。なお、これらは図５、図６、図８、図９、図１１、図１２、図１４、図１５、図１７、図１８、図２０及び図２１においても同様である。
【実施例２】
【００５６】
実施例２の赤外線光学系は実施例１の赤外線光学系と同様に、負の屈折力を有す第１レンズと、正の屈折力を有する第２レンズとから構成されており、結像面の直前にはカバーガラスが配置されている。実施例２において、第１レンズはＺｎＳｅ製であり、第２レンズはカルコゲナイド製であり、カバーガラスはゲルマニウム製である。なお、具体的なレンズ構成は図４に示すとおりである。また、実施例１〜実施例７ではそれぞれゲルマニウム製の同一の厚みのカバーガラスを採用している。各実施例の赤外線光学系のレンズ構成を示す各光学断面図（図１、図４、図７、図１０、図１３、図１７及び図２０）は、それぞれ第１レンズ及び第２レンズのレンズ径に応じて、適宜、適切な縮尺となるように作図したものであるため、各図の縮尺に応じて、カバーガラスの厚みが異なって表示される場合があるが、いずれのカバーガラスの厚みも同じである。
【００５７】
次に、実施例２において、具体的数値を適用した数値実施例２の赤外線光学系のレンズデータを表４に示し、表５に非球面係数を示し、表６には回折面係数を示す。なお、表４において、レンズ材料の欄に表記した「Ｃ」はカルコゲナイドを示している（以後、同じ）。さらに、図５に数値実施例２の赤外線光学系の横収差図を示し、図６に数値実施例２の赤外線光学系の球面収差、非点収差、ディストーションを示す。
【００５８】
そして、表２２に数値実施例２の全系の焦点距離ｆ、Ｆ値（Ｆｎｏ）、画角（２ω）、第１レンズの焦点距離（ｆ１）、第２レンズの焦点距離（ｆ２）、上記条件式（１）〜条件式（３）の値を示す。
【００５９】
【表４】
2015060194.tif 000006
但し、屈折率は１０μｍの光線に対する値を示す。
【００６０】
【表５】
2015060194.tif 000007
【００６１】
【表６】
2015060194.tif 000008
【実施例３】
【００６２】
実施例３の赤外線光学系は実施例１の赤外線光学系と同様に、負の屈折力を有す第１レンズと、正の屈折力を有する第２レンズとから構成されており、結像面の直前にはカバーガラスが配置されている。実施例３において、第１レンズ及び第２レンズは共にＺｎＳｅ製である。なお、具体的なレンズ構成は図７に示すとおりである。
【００６３】
また、実施例３において、具体的数値を適用した数値実施例３の赤外線光学系のレンズデータを表７に示し、表８に非球面係数を示し、表９には回折面係数を示す。さらに、図８に数値実施例３の赤外線光学系の横収差図を示し、図９に数値実施例３の赤外線光学系の球面収差、非点収差、ディストーションを示す。
【００６４】
そして、表２２に数値実施例３の全系の焦点距離ｆ、Ｆ値（Ｆｎｏ）、画角（２ω）、第１レンズの焦点距離（ｆ１）、第２レンズの焦点距離（ｆ２）、上記条件式（１）〜条件式（３）の値を示す。
【００６５】
【表７】
2015060194.tif 000009
但し、屈折率は１０μｍの光線に対する値を示す。
【００６６】
【表８】
2015060194.tif 000010
【００６７】
【表９】
2015060194.tif 000011
【実施例４】
【００６８】
実施例４の赤外線光学系は実施例１の赤外線光学系と同様に、負の屈折力を有す第１レンズと、正の屈折力を有する第２レンズとから構成されており、結像面の直前にはカバーガラスが配置されている。実施例４において、第１レンズはゲルマニウム製であり、第２レンズはカルコゲナイド製である。なお、具体的なレンズ構成は図１０に示すとおりである。
【００６９】
また、実施例４において、具体的数値を適用した数値実施例４の赤外線光学系のレンズデータを表１０に示し、表１１に非球面係数を示し、表１２には回折面係数を示す。さらに、図１１に数値実施例４の赤外線光学系の横収差図を示し、図１２に数値実施例４の赤外線光学系の球面収差、非点収差、ディストーションを示す。
【００７０】
そして、表２２に数値実施例４の全系の焦点距離ｆ、Ｆ値（Ｆｎｏ）、画角（２ω）、第１レンズの焦点距離（ｆ１）、第２レンズの焦点距離（ｆ２）、上記条件式（１）〜条件式（３）の値を示す。
【００７１】
【表１０】
2015060194.tif 000012
但し、屈折率は１０μｍの光線に対する値を示す。
【００７２】
【表１１】
2015060194.tif 000013
【００７３】
【表１２】
2015060194.tif 000014
【実施例５】
【００７４】
実施例５の赤外線光学系は実施例１の赤外線光学系と同様に、負の屈折力を有す第１レンズと、正の屈折力を有する第２レンズとから構成されており、結像面の直前にはカバーガラスが配置されている。実施例５において、第１レンズはＺｎＳ製であり、第２レンズはカルコゲナイド製である。なお、具体的なレンズ構成は図１３に示すとおりである。
【００７５】
また、実施例５において、具体的数値を適用した数値実施例５の赤外線光学系のレンズデータを表１３に示し、表１４に非球面係数を示し、表１５には回折面係数を示す。さらに、図１４に数値実施例５の赤外線光学系の横収差図を示し、図１５に数値実施例５の赤外線光学系の球面収差、非点収差、ディストーションを示す。
【００７６】
そして、表２２に数値実施例５の全系の焦点距離ｆ、Ｆ値（Ｆｎｏ）、画角（２ω）、第１レンズの焦点距離（ｆ１）、第２レンズの焦点距離（ｆ２）、上記条件式（１）〜条件式（３）の値を示す。
【００７７】
【表１３】
2015060194.tif 000015
但し、屈折率は１０μｍの光線に対する値を示す。
【００７８】
【表１４】
2015060194.tif 000016
【００７９】
【表１５】
2015060194.tif 000017
【実施例６】
【００８０】
実施例６の赤外線光学系は実施例１の赤外線光学系と同様に、負の屈折力を有す第１レンズと、正の屈折力を有する第２レンズとから構成されており、結像面の直前にはカバーガラスが配置されている。実施例６において、第１レンズ及び第２レンズは共にカルコゲナイド製である。なお、具体的なレンズ構成は図１６に示すとおりである。
【００８１】
また、実施例６において、具体的数値を適用した数値実施例６の赤外線光学系のレンズデータを表１６に示し、表１７に非球面係数を示し、表１８には回折面係数を示す。さらに、図１７に数値実施例６の赤外線光学系の横収差図を示し、図１８に数値実施例６の赤外線光学系の球面収差、非点収差、ディストーションを示す。
【００８２】
そして、表２２に数値実施例６の全系の焦点距離ｆ、Ｆ値（Ｆｎｏ）、画角（２ω）、第１レンズの焦点距離（ｆ１）、第２レンズの焦点距離（ｆ２）、上記条件式（１）〜条件式（３）の値を示す。
【００８３】
【表１６】
2015060194.tif 000018
但し、屈折率は１０μｍの光線に対する値を示す。
【００８４】
【表１７】
2015060194.tif 000019
【００８５】
【表１８】
2015060194.tif 000020
【実施例７】
【００８６】
実施例７の赤外線光学系は実施例１の赤外線光学系と同様に、負の屈折力を有す第１レンズと、正の屈折力を有する第２レンズとから構成されており、結像面の直前にはカバーガラスが配置されている。実施例７において、第１レンズはシリコン製であり、第２レンズはカルコゲナイド製である。なお、具体的なレンズ構成は図１９に示すとおりである。
【００８７】
また、実施例７において、具体的数値を適用した数値実施例７の赤外線光学系のレンズデータを表１９に示し、表２０に非球面係数を示し、表２１には回折面係数を示す。さらに、図２０に数値実施例７の赤外線光学系の横収差図を示し、図２１に数値実施例７の赤外線光学系の球面収差、非点収差、ディストーションを示す。
【００８８】
そして、表２２に数値実施例７の全系の焦点距離ｆ、Ｆ値（Ｆｎｏ）、画角（２ω）、第１レンズの焦点距離（ｆ１）、第２レンズの焦点距離（ｆ２）、上記条件式（１）〜条件式（３）の値を示す。
【００８９】
【表１９】
2015060194.tif 000021
但し、屈折率は１０μｍの光線に対する値を示す。
【００９０】
【表２０】
2015060194.tif 000022
【００９１】
【表２１】
2015060194.tif 000023
【００９２】
【表２２】
2015060194.tif 000024
【産業上の利用可能性】
【００９３】
本件発明によれば、明るい画像を得ることができ、広角〜中望遠の単焦点レンズに適用可能な赤外線光学系を提供することができ、監視カメラや赤外線サーモグラフィ等に好適である。
【図１】
2015060194.tif 000025
【図２】
2015060194.tif 000026
【図３】
2015060194.tif 000027
【図４】
2015060194.tif 000028
【図５】
2015060194.tif 000029
【図６】
2015060194.tif 000030
【図７】
2015060194.tif 000031
【図８】
2015060194.tif 000032
【図９】
2015060194.tif 000033
【図１０】
2015060194.tif 000034
【図１１】
2015060194.tif 000035
【図１２】
2015060194.tif 000036
【図１３】
2015060194.tif 000037
【図１４】
2015060194.tif 000038
【図１５】
2015060194.tif 000039
【図１６】
2015060194.tif 000040
【図１７】
2015060194.tif 000041
【図１８】
2015060194.tif 000042
【図１９】
2015060194.tif 000043
【図２０】
2015060194.tif 000044
【図２１】
2015060194.tif 000045